(57)【特許請求の範囲】
【請求項１】
略流線型の断面を有し、えい航ケーブルに設置される複数の整流片と、
隣接する前記整流片間の張力が閾値未満である場合には、前記隣接する整流片同士を位置決めし、前記張力が前記閾値以上である場合には、弾性限界を超えないように、前記隣接する整流片同士を弾性力により連結する弾性部品と
を備え、
前記弾性部品は、球体と、隣接する前記整流片のそれぞれ一方に設置された、前記球体に両側から滑らかに接触可能な１対の皿穴を有する取付け部と、前記球体を貫通するワイヤーと、前記ワイヤーを引張する１対のバネとを有し、
前記隣接する整流片間の前記張力が閾値未満である場合には、前記皿穴同士が前記球体を介して接触し、前記張力が前記閾値以上である場合には、前記接触が解除される
えい航ケーブル用整流装置。
【請求項２】
略流線型の断面を有し、えい航ケーブルに設置される複数の整流片と、
隣接する前記整流片間の張力が閾値未満である場合には、前記隣接する整流片同士を位置決めし、前記張力が前記閾値以上である場合には、弾性限界を超えないように、前記隣接する整流片同士を弾性力により連結する弾性部品と
を備え、
前記弾性部品は、隣接する前記整流片の間隙に設置された、前記隣接する整流片のそれぞれに滑らかに接触可能な突起と、前記隣接する整流片にそれぞれ一端が固定されたバネとを有し、
前記隣接する整流片間の前記張力が閾値未満である場合には、前記隣接する整流片同士を前記突起を介して接触させ、前記張力が前記閾値以上である場合には、前記接触を解除する
えい航ケーブル用整流装置。
【請求項３】
略流線型の断面を有し、えい航ケーブルに設置される複数の整流片と、
隣接する前記整流片間の張力が閾値未満である場合には、前記隣接する整流片同士を位置決めし、前記張力が前記閾値以上である場合には、弾性限界を超えないように、前記隣接する整流片同士を弾性力により連結する弾性部品と
を備え、
前記弾性部品は、上側及び下側に１対の対向する略三角形の切欠きを有し、隣接する前記整流片のそれぞれ一方に左側及び右側が固定された、略矩形の弾性体板であり、
前記隣接する整流片間の前記弾性部品の下側における前記張力が閾値未満である場合には、上側及び下側の前記切欠きの幅が変化するように変形して前記張力に対抗する弾性力を発生し、前記張力が前記閾値以上である場合には、前記上側の切欠きの幅が０に達し、
前記張力による更なる変形を抑止し、
前記隣接する整流片間の前記弾性部品の上側における前記張力が前記閾値未満である場合には、前記上側及び下側の切欠きの幅が変化するように変形して前記張力に対抗する弾性力を発生し、前記張力が前記閾値以上である場合には、前記下側の切欠きの幅が０に達し、前記張力による更なる変形を抑止する
えい航ケーブル用整流装置。
【請求項４】
前記隣接する整流片同士の位置関係を所定の範囲内に制限するように、前記隣接する整流片同士を連結する略矩形の連結板を更に備えた
請求項１乃至３の何れか１項に記載のえい航ケーブル用整流装置。
【発明の詳細な説明】
【技術分野】
【０００１】
本発明は、えい航体をえい航するえい航ケーブルに装着され、えい航中にえい航ケーブルを取り巻く流体の流れを整流するえい航ケーブル用整流装置に関する。
【背景技術】
【０００２】
えい航ケーブル用整流装置（「フェアリング」ともいう）に関し、種々の技術が開示されている。
【０００３】
えい航ケーブル用整流装置に関する技術の一例が、特許文献１に開示されている。図１０は、特許文献１のフェアリングの構成を示す図である。具体的には、図１０（ａ）は、えい航ケーブルがまっすぐな状態におけるフェアリングの部分断面図である。また、図１０（ｂ）は、えい航ケーブルが曲がった状態におけるフェアリングの部分断面図である。
【０００４】
特許文献１のフェアリング９００では、取付具９０１ｄにより、整流片９０１と、ケーブルカバー９０２とが、えい航ケーブル７００に取り付けられている。また、取付具９０１ｄは連結板９０３に連結されており、えい航ケーブル７００上において、複数の整流片９０１は、互いに連結された状態で配列される。えい航ケーブル７００とケーブルカバー９０２との間には隙間が設けられており、整流片９０１は、互いに連結された状態で、えい航ケーブル７００の中心軸を中心に自在に回転することができる。連結板９０３には取付具９０１ｄを取り付けるための取付孔９０３ａが設けられる。取付孔９０３ａは長穴形状を有するので、連結板９０３は取付具９０１ｄに対して回転及び平行移動の自由度を有する。上記の構成の結果、特許文献１のフェアリング９００は、えい航ケーブル７００が曲げられた際の、フェアリング９００のえい航ケーブル７００への追従性を有する。
【０００５】
図１１は、特許文献１のフェアリングの問題点を説明するための図である。具体的には、図１１は、えい航時における流体力の伝播を示す、フェアリングの部分断面図である。特許文献１のフェアリング９００では、連結板９０３に設けられた取付孔９０３ａが長穴形状であるため、隣り合う整流片９０１間の間隔は固定されず、整流片９０１の位置は自由度を有する。このため、えい航時にえい航ケーブル７００がえい航船から海中下方向に繰り出された際、各整流片９０１は、えい航方向反対下側に向かって順次移動し、図１１に示すような状態になる。この状態は、えい航時に、フェアリング９００に流体力が作用し、流体力のえい航ケーブル７００の軸方向への分力が、フェアリング９００をえい航による流れの下流方向に向かって押し下げるために発生する。この状態は、フェアリング９００の比重を海水などの周囲の流体と同程度に設定して重力の作用を打ち消した場合であっても、発生する。そして、図１１に示す状態において、えい航ケーブル７００と連結板９０３の端部９０３ｂ、及びえい航ケーブル７００とケーブルカバー９０２の端部９０２ａとが接触し、この接触箇所が整流片に伝達された分力の一部を支える。そのため、えい航ケーブル７００とフェアリング９００との間に摩擦抵抗が発生する。その結果、フェアリング９００が、えい航ケーブル７００のまわりに、自由に回転することができなくなる。フェアリング９００は、えい航による周囲流れに逆らわず、流れに追従する必要があるが、摩擦抵抗により追従が不完全になり、整流効果が低下する。従って、特許文献１のフェアリング９００には、えい航時における整流片間の適正な位置関係が維持されないという問題がある。
【０００６】
整流片間の適正な位置関係を維持させる、えい航ケーブル用整流装置に関する技術の一例が、特許文献２に開示されている。特許文献２のフェアリングは、セグメント（「整流片」に相当）に分割され、セグメント同士が摩擦によって相互に不整合状態に錠止されることを防止する装置を含む。錠止を防止する装置は、弾性のあるリンクで、隣接するセグメント同士を連結する。弾性のあるリンクは、両端に丸穴を有する略Ｕ字型の形状、又は両端に長穴を有する帯状の形状を有する。隣接するセグメント同士が弾性のあるリンクで連結されるので、セグメント同士が摩擦によって相互に不整合状態に錠止されることが抑制される。特に、弾性のあるリンクが両端に丸穴を有する略Ｕ字型の形状を有する場合には、隣接するセグメント同士の連結にずれが生じても、ずれはリンクの弾性力により引き戻される。従って、特許文献２のフェアリングでは、えい航時における整流片間の適正な位置関係が維持される。
【先行技術文献】
【特許文献】
【０００７】
【特許文献１】特許第２７２６５０５号公報
【特許文献２】特表昭６０−５００４９３号公報
【発明の概要】
【発明が解決しようとする課題】
【０００８】
図１２は、特許文献１のフェアリングの問題点を説明するための図である。具体的には、図１２は、巻取り時におけるストレスの発生を示す、フェアリングの部分断面図である。フェアリング９００が取り付けられたえい航ケーブル７００は、えい航船に収納される際に、滑車を通過し、ドラムに巻き取られる。空中において、フェアリング９００は、自重及び、滑車又はドラムの抗力により引張され、図１２に示すような状態になる。すなわち、連結板９０３に設けられた取付孔９０３ａの外側一杯に取付具９０１ｄが位置するため、これ以上、整流片９０１間の間隔は広がることができない。そして、滑車又はドラム８００にえい航ケーブル７００が進入すると、滑車又はドラム８００の表面の曲率とえい航ケーブル７００の曲率との差に起因して、連結板９０３には外側に引っ張られるストレスが加わる。連結板９０３は、ウレタン等の可撓性を有する素材を用いて形成されることが多いので、繰返し使用において、ストレスにより破壊される可能性が高い。従って、特許文献１のフェアリング９００には、巻取り時に整流装置が破壊されやすいという問題がある。
【０００９】
特許文献２のフェアリングでは、弾性のあるリンクにより、隣接するセグメント同士が連結される。弾性のあるリンクは、両端に丸穴を有する略Ｕ字型の形状、又は両端に長穴を有する帯状の形状を有する。隣接するセグメント同士は弾性のあるリンクにより連結されるので、隣接するセグメントの適正な位置関係からのずれは、ある程度許容される。特に、弾性のあるリンクが両端に長穴を有する帯状の形状を有する場合には、隣接するセグメント同士の連結に遊びがあるので、隣接するセグメントの適正な位置関係からのずれは、より広範に許容される。しかしながら、両端に丸穴を有する略Ｕ字型の形状、又は両端に長穴を有する帯状の形状を有する、弾性のあるリンクでは、巻取り時における隣接するセグメント同士の位置関係の大きなずれを許容することは困難である。従って、特許文献２のフェアリングには、えい航時における整流片間の適正な位置関係の維持と、巻取り時における整流装置の破壊の抑制とを両立させることが困難であるという問題がある。
（発明の目的）
本発明は、上記の課題に鑑みてなされたもので、えい航時における整流片間の適正な位置関係の維持と、巻取り時における整流装置の破壊の抑制とを両立させることができる、えい航ケーブル用整流装置を提供することを主たる目的とする。
【課題を解決するための手段】
【００１０】
本発明の、えい航ケーブル用整流装置は、略流線型の断面を有し、えい航ケーブルに設置される複数の整流片と、隣接する整流片間の張力が閾値未満である場合には、隣接する整流片同士を位置決めし、張力が閾値以上である場合には、弾性限界を超えないように、隣接する整流片同士を弾性力により連結する弾性部品とを備えたことを特徴とする。
【発明の効果】
【００１１】
本発明によれば、えい航時における整流片間の適正な位置関係の維持と、巻取り時における整流装置の破壊の抑制とを両立させることができるという効果がある。
【図面の簡単な説明】
【００１２】
【図１】本発明の第１の実施形態のえい航ケーブル用整流装置の構成の一例を示す図である。
【図２】本発明の第１の実施形態のえい航ケーブル用整流装置の構成の一例を示す図である。
【図３】本発明の第１の実施形態のえい航ケーブル用整流装置のえい航状態を説明するための図である。
【図４】本発明の第１の実施形態のえい航ケーブル用整流装置の、えい航ケーブルが曲げられたえい航状態を説明するための図である。
【図５】本発明の第１の実施形態のえい航ケーブル用整流装置の、えい航ケーブルが滑車又はドラムに巻取られた巻取り状態を説明するための図である。
【図６】本発明の第２の実施形態の構成の一例を示す図である。
【図７】本発明の第２の実施形態の構成の一例を示す図である。
【図８】本発明の第３の実施形態の構成の一例を示す図である。
【図９】本発明の第３の実施形態の構成の一例を示す図である。
【図１０】特許文献１のフェアリングの構成を示す図である。
【図１１】特許文献１のフェアリングの問題点を説明するための図である。
【図１２】特許文献１のフェアリングの問題点を説明するための図である。
【発明を実施するための形態】
【００１３】
以下、本発明の実施形態について、図面を参照して詳細に説明する。なお、すべての図面において、同等の構成要素には同じ符号を付し、適宜説明を省略する。
（第１の実施形態）
本実施形態における構成について説明する。
【００１４】
図１及び図２は、本発明の第１の実施形態のえい航ケーブル用整流装置１００の構成の一例を示す図である。具体的には、図１はえい航ケーブル用整流装置１００の分解組立図で、図２は整流片が連結されたえい航ケーブル用整流装置１００の構成要素の配置を示す部分断面図である。
【００１５】
本実施形態のえい航ケーブル用整流装置１００は、整流片１０１と、ケーブルカバー１０２と、取付ピン１０４と、弾性部品１２０とを含む。えい航ケーブル用整流装置１００は、連結板１０３を更に含んでもよい。
【００１６】
整流片１０１は、えい航ケーブル７００の軸に平行な方向の断面が略長方形の形状を有し、且つ、えい航ケーブル７００の軸に垂直な方向の断面が略船形の形状を有する。また、整流片１０１は、取付ピン１０４が貫通する、左右にそれぞれ１つの穴を有する。なお、えい航ケーブル用整流装置１００が連結板１０３を含む場合には、整流片１０１は、左右にそれぞれ１つの連結板収納部１０１ａを有する。１つの連結板収納部１０１ａは、整流片１０１の略左半分又は略右半分のいずれか一方を収納可能な溝である。
【００１７】
ケーブルカバー１０２は、えい航ケーブル７００の軸に平行な方向から見て略長方形の形状を有し、且つ、えい航ケーブル７００の軸に垂直な方向の断面が略Ｕ字形の形状を有する。また、ケーブルカバー１０２は、取付ピン１０４が貫通する、左右にそれぞれ１つの穴を有する。
【００１８】
ケーブルカバー１０２と整流片１０１とは、互いに嵌合することにより、えい航ケーブル７００の軸に垂直な方向の断面が略流線形の形状を形成する。また、ケーブルカバー１０２と整流片１０１とは、互いに嵌合することにより、えい航ケーブル７００が貫通可能な穴を形成する。
【００１９】
取付ピン１０４は、柱状の形状を有し、抜け止め防止機構を有する。抜け止め防止機構は、例えば、ピンの拡径の頭部、ナット及びピン上のねじ、穴上のめねじ及びピン上のねじ、Ｃリング及びピン上の溝等である。取付ピン１０４は、整流片１０１、ケーブルカバー１０２、及び弾性部品１２０を互いに固定する。また、えい航ケーブル用整流装置１００が連結板１０３を含む場合には、取付ピン１０４は、連結板１０３に設けられた長穴１０３ａを貫通することにより、隣接する整流片１０１同士を可動的に連結する。
【００２０】
弾性部品１２０は、隣接する整流片１０１同士を弾性的に連結する。弾性部品１２０は、１つの、ジョイントボール１０５、及びワイヤー１０７と、２つの、ジョイントフレーム１０６、スプリング１０８、及び止め金具１０９とを含む。
【００２１】
ジョイントボール１０５は、組立状態において、隣接する整流片１０１の間に配置される。ジョイントボール１０５は、中心に貫通穴を有する。
【００２２】
ワイヤー１０７は、ジョイントボール１０５の貫通穴を貫通する。ワイヤー１０７は、ジョイントフレーム１０６のボール受け穴１０６ａを貫通し、更にスプリング１０８を貫通する。ワイヤー１０７の端末は、止め金具１０９により、スプリング１０８の端部に接続される。
【００２３】
ジョイントフレーム１０６は、取付ピン１０４が貫通する穴と、ボール受け穴１０６ａを有する。ボール受け穴１０６ａは、ジョイントボール１０５よりも直径が小さい皿穴である。ボール受け穴１０６ａはジョイントボール１０５がボール受け穴１０６ａに半没した状態でジョイントボール１０５に接触を保ったまま滑り、ジョイントボール１０５はボール受け穴１０６ａ内で滑らかに回転することができる。
【００２４】
スプリング１０８は、圧縮コイルばねである。組立状態において、ワイヤー１０７の長さ及び、止め金具１０９の位置は、スプリング１０８が自由長よりも圧縮されるように設定される。そのため、ジョイントフレーム１０６は、ジョイントボール１０５に両側から圧接する。つまり、隣接する整流片１０１同士は、ジョイントボール１０５を介して接触した状態で連結される。なお、スプリング１０８は、ワイヤー１０７に張力を与えればよく、圧縮ばね（押しバネ）やコイルばねに限定されない。例えば、スプリング１０８は、ジョイントフレーム１０６の構造、ジョイントフレーム１０６に対する配置、ワイヤー１０７の長さ等によっては、引張ばね（引きバネ）であってもよいし、板バネ、空気ばね、液体ばね等であってもよい。
【００２５】
連結板１０３は、略長方形の板である。連結板１０３は、隣接する整流片１０１同士の位置関係を所定の範囲内に制限する。連結板１０３は、左右にそれぞれ１つの長穴１０３ａを有する。ワイヤー１０７はジョイントボール１０５に固定されずに貫通している。そのため、隣接する整流片同士は、連結板１０３の遊びの範囲内（図２では主に左右に）で動くことができる。しかしながら、連結板１０３は、隣接する整流片１０１同士の図２の移動又は曲がりを制限する。具体的には、連結板１０３と連結板収納部１０１ａとの間のクリアランス（遊び）、及び長穴１０３ａと取付ピン１０４とのクリアランスの範囲内でのみ、隣接する整流片１０１同士は、向きを変えたり移動したりすることができる。なお、弾性部品１２０が隣接する整流片１０１同士を弾性的に連結する機能を有するので、連結板１０３は、えい航ケーブル用整流装置１００の必須要素ではない。
【００２６】
本実施形態における動作について説明する。
【００２７】
図３は、本発明の第１の実施形態のえい航ケーブル用整流装置のえい航状態を説明するための図である。
【００２８】
えい航状態においては、前述のように、えい航ケーブル用整流装置１００の整流片１０１には、流体力による、えい航方向反対下側に向かう分力が作用する。しかしながら、分力がスプリング１０８の弾性力よりも小さい場合には、隣接する整流片１０１同士は、ジョイントボール１０５を介して、接触状態を保持し続ける。なお、通常のえい航状態において、分力がスプリング１０８の弾性力よりも小さくなるように、スプリング１０８の弾性やワイヤー１０７の長さ等が設定される。
【００２９】
このため、隣接する整流片１０１同士は、ジョイントボール１０５を中心に、えい航ケーブル７００の略軸方向（えい航方向反対下側）のまわりに流体の流れに沿って回転したり、えい航ケーブル７００の曲りに沿って曲がったりする。つまり、整流片１０１がジョイントボール１０５に接した状態が維持されるので、隣接する整流片１０１間の位置関係は、適正な位置の近傍に制限される。なお、隣接する整流片１０１の間は、えい航ケーブル用整流装置１００の構成要素同士が干渉しない範囲で、回転したり曲がったりすること可能である。ただし、えい航ケーブル用整流装置１００が連結板１０３を含む場合には、連結板１０３と連結板収納部１０１ａの内壁とが接触した位置で、隣接する整流片１０１の間の回転や曲りは制限される。そこで、通常の、えい航状態及び巻取り状態において、えい航ケーブル用整流装置１００の構成要素に掛かる力が構成要素を破壊しないように、連結板１０３や連結板収納部１０１ａの形状等が設定される。
【００３０】
上記の動作の結果、えい航時には、えい航ケーブル７００とケーブルカバー１０２、又はえい航ケーブル７００と連結板１０３とが接触する事象の発生が抑制され、整流片１０１は、えい航ケーブル７００の軸を中心に自由に回転する。
【００３１】
図４は、本発明の第１の実施形態のえい航ケーブル用整流装置の、えい航ケーブルが曲げられたえい航状態を説明するための図である。
【００３２】
えい航中に、図４のようにえい航ケーブル７００が曲げられた場合には、各整流片１０１は、ジョイントボール１０５を関節として、えい航ケーブル７００に追従するように曲がる。このとき、ジョイントボール１０５を中心に、隣接する整流片１０１の取付ピン１０４は、互いの距離が開く方向に移動する。なお、えい航ケーブル用整流装置１００が連結板１０３を含む場合には、取付ピン１０４の連結板１０３への接続は長穴１０３ａによるので、取付ピン１０４は、それぞれの長穴１０３ａの中で整流片１０１の幅方向に移動する。そのため、連結板１０３に過度のストレスが加わることはない。
【００３３】
図５は、本発明の第１の実施形態のえい航ケーブル用整流装置の、えい航ケーブルが滑車又はドラムに巻取られた巻取り状態を説明するための図である。
【００３４】
えい航ケーブル７００が流体中で曲げられる場合には、えい航ケーブル用整流装置１００は、基本的には図４に示された状態になる。しかしながら、えい航ケーブル７００が空中において滑車又はドラム８００の曲面に沿って曲げられる場合には、隣接する整流片１０１同士は、曲面上の点８１０を中心に互いが離れる方向により大きな力で引張される。この場合には、ジョイントボール１０５に圧接する力を与えているスプリング１０８が、さらに圧縮されて弾性部品１２０に対する引張力が所定の閾値を超えると、隣接する整流片１０１間のジョイントボール１０５を介した接触を解除する。これにより、弾性部品１２０は、整流片１０１に対するストレスを吸収する。通常のえい航状態において流体力のケーブル軸下方への分力がスプリング１０８の弾性力よりも小さく、且つ巻取り状態において分力がスプリング１０８の弾性力よりも大きくなるように、閾値は予め決定される。そして、決定された閾値が実現されるように、スプリング１０８の弾性やワイヤー１０７の長さ等が設定される。なお、えい航ケーブル用整流装置１００が連結板１０３を含む場合には、連結板１０３の長穴１０３ａにおいて、取付ピン１０４の位置は、図４又は図５に示された状態よりもさらに移動し得る。ただし、長穴１０３ａの幅が十分に確保されれば、連結板１０３におけるストレスは、ほとんど発生しない。
【００３５】
以上説明したように、本実施形態のえい航ケーブル用整流装置１００では、えい航時に、隣接する整流片１０１間の張力が所定の閾値未満である場合には、弾性部品１２０は、隣接する整流片１０１同士を位置決めする。一方、巻取り時に、隣接する整流片１０１間の張力が所定の閾値以上である場合には、弾性部品１２０は、隣接する整流片１０１間の適正な位置決めを解除して、えい航ケーブル用整流装置１００の破壊を抑制する。従って、本実施形態のえい航ケーブル用整流装置１００には、えい航時における整流片間の適正な位置関係の維持と、巻取り時における整流装置の破壊の抑制とを両立させることができるという効果がある。
【００３６】
なお、本実施形態のえい航ケーブル用整流装置１００では、弾性部品１２０の構成は、上述の構成には限定されない。弾性部品１２０は、隣接する整流片１０１間の張力が所定の閾値未満である場合には、隣接する整流片１０１同士を位置決めし、隣接する整流片１０１間の張力が所定の閾値以上である場合には、隣接する整流片１０１間の適正な位置決めを解除する構成を有すればよい。
（第２の実施形態）
次に、上述した本発明の第１の実施形態のえい航ケーブル用整流装置１００を基本とする、本発明の第２の実施形態のえい航ケーブル用整流装置について説明する。本実施形態のえい航ケーブル用整流装置では、第１の実施形態のえい航ケーブル用整流装置１００において、弾性部品１２０が別の弾性部品に変更される。
【００３７】
本実施形態における構成について説明する。
【００３８】
図６及び図７は、本発明の第２の実施形態のえい航ケーブル用整流装置２００の構成の一例を示す図である。具体的には、図６はえい航ケーブル用整流装置２００の分解組立図で、図７は整流片が連結されたえい航ケーブル用整流装置２００の構成要素の配置を示す部分断面図である。なお、図６では、引っ張りスプリング２１１は、長穴２１０ａのほとんどの部分を占めるように描かれているが、実際には左右に十分なクリアランスが存在する。
【００３９】
本実施形態のえい航ケーブル用整流装置２００は、整流片１０１と、ケーブルカバー１０２と、取付ピン１０４と、弾性部品２２０とを含む。
【００４０】
弾性部品２２０は、連結板２１０と、引っ張りスプリング２１１とを含む。
【００４１】
連結板２１０は、長穴２１０ａを有し、長穴２１０ａの中に、引っ張りスプリング２１１が配置される。長穴２１０ａは、引っ張りスプリング２１１が弾性的に引張されるために十分な長さを有する。
【００４２】
引っ張りスプリング２１１は、引張コイルばねである。引っ張りスプリング２１１は、両端に円環状のフックを有する。組立状態では、取付ピン１０４は、引っ張りスプリング２１１の両端のフックを貫通する。
【００４３】
連結板２１０は、長穴２１０ａの両面の下側に突起２１０ｂを有する。突起２１０ｂは、四角柱、円柱等の柱状の形状を有する。突起２１０ｂは、組立状態において、隣接する整流片１０１のケーブルカバー１０２又は整流片１０１の、左端又は右端と滑らかに接触する。突起２１０ｂとケーブルカバー１０２又は整流片１０１の左端又は右端とが接触している状態において、引っ張りスプリング２１１には所定の張力が発生している。
【００４４】
本実施形態における他の構成は、第１の実施形態における構成と同じである。
【００４５】
本実施形態における動作について説明する。
【００４６】
えい航時にえい航ケーブル７００が曲げられた際には、隣接する整流片１０１の張力が所定の張力以下であるならば、弾性部品２２０は、隣接する整流片１０１同士の突起２１０ｂを介した接触を維持する。これにより、突起２１０ｂを支点として隣接する整流片１０１間の角度が変動することで、隣接する整流片１０１の位置関係は、えい航時に適した範囲に抑えられる。
【００４７】
巻取り時にえい航ケーブル７００が曲げられた際には、隣接する整流片１０１の張力が所定の張力を超えると、弾性部品２２０は、隣接する整流片１０１同士の突起２１０ｂを介した接触を解除する。これにより、隣接する整流片１０１間の位置関係は、巻取り時に適した範囲になる。このとき、隣接する整流片１０１間の接続は弾性的なので、弾性部品２２０は、整流片１０１に対するストレスを吸収する。
【００４８】
つまり、本実施形態では、突起２１０ｂが第１の実施形態のジョイントボール１０５と同様な機能を提供し、引っ張りスプリング２１１が第１の実施形態のスプリング１０８と同様な機能を提供する。
【００４９】
本実施形態における他の動作は、第１の実施形態における動作と同じである。
【００５０】
以上説明したように、本実施形態のえい航ケーブル用整流装置２００では、えい航時に、隣接する整流片１０１間の張力が所定の閾値未満である場合には、弾性部品２２０は、隣接する整流片１０１同士を位置決めする。一方、巻取り時に、隣接する整流片１０１間の張力が所定の閾値以上である場合には、弾性部品２２０は、隣接する整流片１０１間の適正な位置決めを解除して、えい航ケーブル用整流装置２００の破壊を抑制する。従って、本実施形態のえい航ケーブル用整流装置２００には、えい航時における整流片間の適正な位置関係の維持と、巻取り時における整流装置の破壊の抑制とを両立させることができるという効果がある。
【００５１】
なお、本実施形態のえい航ケーブル用整流装置２００の引っ張りスプリング２１１は、隣接する整流片１０１間に張力を与えればよく、コイルばねに限定されない。例えば、引っ張りスプリング２１１は、板バネ、空気ばね、液体ばね等であってもよい。
【００５２】
また、上述の説明では、突起２１０ｂは、柱状の形状を有し、連結板２１０の両面の長穴２１０ａの下側に形成された例について説明したが、本実施形態における突起２１０ｂは、これに限定されない。本実施形態における突起２１０ｂは、えい航時に、隣接する整流片１０１同士が突起２１０ｂを支点として滑らかに接触する、任意の形状を有し、任意の位置に形成されてよい。
【００５３】
また、本実施形態のえい航ケーブル用整流装置２００の連結板２１０は、弾性部品２２０と独立に形成されてもよい。この場合には、えい航ケーブル用整流装置２００の連結板２１０は、本発明の第１の実施形態の連結板１０３と同じである。また、突起２１０ｂは、連結板１０３の両面の下部に設置される。また、引っ張りスプリング２１１は、連結板１０３の下側に設置される。また、引っ張りスプリング２１１は、取付ピン１０４とは別の手段（例えば、別の取付ピン及び穴）により、整流片１０１又はケーブルカバー１０２に連結される。
（第３の実施形態）
次に、上述した本発明の第１の実施形態のえい航ケーブル用整流装置１００を基本とする、本発明の第３の実施形態のえい航ケーブル用整流装置について説明する。本実施形態のえい航ケーブル用整流装置では、第１の実施形態のえい航ケーブル用整流装置１００において、弾性部品１２０が別の弾性部品に変更される。
【００５４】
本実施形態における構成について説明する。
【００５５】
図８及び図９は、本発明の第３の実施形態のえい航ケーブル用整流装置３００の構成の一例を示す図である。具体的には、図８はえい航ケーブル用整流装置３００の分解組立図で、図９は整流片が連結されたえい航ケーブル用整流装置３００の構成要素の配置を示す部分断面図である。
【００５６】
本実施形態のえい航ケーブル用整流装置３００は、整流片１０１と、ケーブルカバー１０２と、取付ピン１０４と、弾性部品３２０とを含む。
【００５７】
弾性部品３２０は、連結板３１２と一体である。
【００５８】
連結板３１２は、略長方形の弾性体板である。連結板３１２は、表面の下側に２つの丸穴３１２ａを有する。なお、組立状態では、取付ピン１０４は、丸穴３１２ａを貫通する。
【００５９】
連結板３１２は、上辺に圧縮ストレス緩和用の略三角形の切欠き３１２ｂと、下辺に引っ張りストレス緩和用の切欠き３１２ｃとを有する。
【００６０】
本実施形態における他の構成は、第１の実施形態における構成と同じである。
【００６１】
本実施形態における動作について説明する。
【００６２】
えい航時にえい航ケーブル７００が（図９の下に凸に）曲げられた際に、隣接する整流片１０１の下側における張力が所定の張力以下ならば、弾性部品３２０は、切欠き３１２ｂを縮小して、切欠き３１２ｃを拡大することにより、隣接する整流片１０１間の角度の増加を抑制する。
【００６３】
また、えい航時にえい航ケーブル７００が（図９の上に凸に）曲げられた際に、隣接する整流片１０１の下側における圧力が所定の圧力以下ならば、弾性部品３２０は、切欠き３１２ｂを拡大して、切欠き３１２ｃを縮小することにより、隣接する整流片１０１間の角度の増加を抑制する。
【００６４】
一方、巻取り時にえい航ケーブル７００が（図９の下に凸に）曲げられた際に、隣接する整流片１０１の張力が所定の張力を超えると、弾性部品３２０は、切欠き３１２ｂの幅が０に達することにより、隣接する整流片１０１間の角度の更なる増加を抑止する。
【００６５】
また、巻取り時にえい航ケーブル７００が（図９の上に凸に）曲げられた際に、隣接する整流片１０１の圧力が所定の圧力を超えると、弾性部品３２０は、切欠き３１２ｃの幅が０に達することにより、隣接する整流片１０１間の角度の更なる増加を抑止する。
【００６６】
本実施形態における他の動作は、第１の実施形態における動作と同じである。
【００６７】
以上説明したように、本実施形態のえい航ケーブル用整流装置３００では、えい航時に、隣接する整流片１０１間の張力が所定の閾値未満である場合には、弾性部品３２０は、隣接する整流片１０１同士を位置決めする。一方、巻取り時に、隣接する整流片１０１間の張力が所定の閾値以上である場合には、弾性部品３２０は、隣接する整流片１０１間の適正な位置決めを中止して、えい航ケーブル用整流装置３００の破壊を抑制する。従って、本実施形態のえい航ケーブル用整流装置３００には、えい航時における整流片間の適正な位置関係の維持と、巻取り時における整流装置の破壊の抑制とを両立させることができるという効果がある。
【００６８】
以上、本発明を、上述した実施形態及びその実施例によって例示的に説明した。しかしながら、本発明の技術的範囲は、上述した実施形態及びその実施例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００６９】
本発明は、水、海水、大気、溶媒等の流体中において、他の移動体にケーブルで接続される、ソナー、センサー、航行体、飛行体等において、流体とケーブルとの相互作用に起因する、カイティング、抵抗、振動、騒音等の発生を抑制する用途において利用できる。
【符号の説明】
【００７０】
１００  えい航ケーブル用整流装置
１０１  整流片
１０１ａ  連結板収納部
１０２  ケーブルカバー
１０３  連結板
１０３ａ  長穴
１０４  取付ピン
１０５  ジョイントボール
１０６  ジョイントフレーム
１０６ａ  ボール受け穴
１０７  ワイヤー
１０８  スプリング
１０９  留め金具
１２０  弾性部品
２００  えい航ケーブル用整流装置
２１０  連結板
２１０ａ  長穴
２１０ｂ  突起
２１１  引っ張りスプリング
２２０  弾性部品
３００  えい航ケーブル用整流装置
３１２  連結板
３１２ａ  丸穴
３１２ｂ  切欠き
３１２ｃ  切欠き
３２０  弾性部品
７００  えい航ケーブル
８００  ドラム
９００  フェアリング
９０１  整流片
９０１ｄ  取付具
９０２  ケーブルカバー
９０２ａ  端部
９０３  連結板
９０３ａ  取付孔
９０３ｂ  端部
【図１】
0006682902.tif 000002
【図２】
0006682902.tif 000003
【図３】
0006682902.tif 000004
【図４】
0006682902.tif 000005
【図５】
0006682902.tif 000006
【図６】
0006682902.tif 000007
【図７】
0006682902.tif 000008
【図８】
0006682902.tif 000009
【図９】
0006682902.tif 000010
【図１０】
0006682902.tif 000011
【図１１】
0006682902.tif 000012
【図１２】
0006682902.tif 000013